(57)【特許請求の範囲】
【請求項１】
入力端と別の入力端とを有する受信手段、
出力端と入力端とを有する送信手段、
前記受信手段の入力端に接続される受信端子と、前記送信手段の出力端に接続される送信端子と、切換端子と、制御端子とを有する切換スイッチ、および前記制御端子に接続されるＡＳＫ変調信号発生手段を含むＡＳＫ変調回路、
前記受信手段の別の入力端に接続される別の受信端子と、前記送信手段の入力端に接続される別の送信端子と、別の切換端子と、別の制御端子とを有する別の切換スイッチ、および前記別の制御端子に接続される別のＡＳＫ変調信号発生手段を含む別のＡＳＫ変調回路、
前記ＡＳＫ変調回路の前記切換端子に接続されるアンテナ、および
前記別のＡＳＫ変調回路の前記別の切換端子に接続される外部発振手段を備え、
前記ＡＳＫ変調信号発生手段の出力信号であるＡＳＫ変調信号で前記切換端子が前記受信端子および前記送信端子に交互に切り換えられ、
前記別のＡＳＫ変調信号発生手段の出力信号であるＡＳＫ変調信号で前記別の切換端子が前記別の受信端子および前記別の送信端子に交互に切り換えられ、
前記ＡＳＫ変調信号発生手段と前記別のＡＳＫ変調信号発生手段とが連動する、高周波通信装置。
【請求項２】
前記切換スイッチは、ＦＥＴを含むシングルポールデュアルスルースイッチである、請求項１に記載の高周波通信装置。
【請求項３】
前記切換スイッチは、ＦＥＴを含む共振型の切換スイッチである、請求項１に記載の高周波通信装置。
【請求項４】
前記切換スイッチは、ＰＩＮダイオードを含む共振型の切換スイッチである、請求項１に記載の高周波通信装置。
【請求項５】
前記切換スイッチと前記ＡＳＫ変調信号発生手段との間に設けられ、ＡＳＫ変調信号の歪み特性を改善するための手段を含む、請求項１ないし請求項４のいずれかに記載の高周波通信装置。
【請求項６】
前記ＡＳＫ変調信号の歪み特性を改善するための手段は、ローパスフィルタまたはバンドパスフィルタを含む、請求項５に記載の高周波通信装置。
【請求項７】
前記制御端子は第１の制御端子および第２の制御端子を含み、
前記第１の制御端子および前記第２の制御端子の一方に一定の電圧が印加され、
前記第１の制御端子および前記第２の制御端子の他方にＡＳＫ変調信号が印加される、請求項１ないし請求項６のいずれかに記載の高周波通信装置。
【請求項８】
前記ＡＳＫ変調信号発生手段は、前記別のＡＳＫ変調信号発生手段を兼ねる、請求項１ないし請求項７にいずれかに記載の高周波通信装置。
【発明の詳細な説明】
【０００１】
【発明の属する技術分野】
この発明は高周波通信装置に関し、特に、受信装置および送信装置に接続され、受信および送信を切換えるために用いられるＡＳＫ変調回路を用いた高周波通信装置に関する。
【０００２】
【従来の技術】
図１２は従来の高周波通信装置の一例を示すブロック図である。図１２に示す高周波通信装置１はＡＳＫ変調回路２を含む。ＡＳＫ変調回路２はアンテナ切換スイッチ３を含む。アンテナ切換スイッチ３は、アンテナ端子３ａ、受信端子３ｂおよび送信端子３ｃを有する。アンテナ端子３ａにはアンテナ４が接続され、受信端子３ｂには受信装置５が接続され、送信端子３ｃには送信装置６が接続される。送信装置６は、直列に接続されるＡＳＫ変調器６ａおよびアンプ６ｂを含み、ＡＳＫ変調器６ａには、ＡＳＫ変調信号発生器７が接続される。また、外部発振器８が、アンテナ切換スイッチ３と同様の発振切換スイッチ９を介して、受信装置５および送信装置６に接続される。
図１２に示す高周波通信装置１において、送信装置６のＡＳＫ変調器６ａとして、たとえば、図１３に示すＡＳＫ変調器６ａ、図１４に示すＡＳＫ変調器６ａまたは図１５に示すＡＳＫ変調器６ａが用いられる。
図１３に示すＡＳＫ変調器６ａでは、トランジスタなどを用いたアンプにおいて、トランジスタのベースに印加するバイアス電圧を変化することによって、アンプのゲインが変化され、ＡＳＫ変調が行なわれる。
また、図１４に示すＡＳＫ変調器６ａでは、デュアルゲートのＦＥＴなどを用いたアンプにおいて、ＦＥＴのゲートに印加するバイアス電圧を変化することによって、アンプのゲインが変化され、ＡＳＫ変調が行なわれる。
また、図１５に示すＡＳＫ変調器６ａでは、ＦＥＴなどを用いたアンプにおいて、ＦＥＴのドレインに供給される電源がアンプの外部の半導体スイッチ素子によって強制的にＯＮ／ＯＦＦにされ、ＡＳＫ変調が行なわれる。
【０００３】
【発明が解決しようとする課題】
ところが、ローコスト化および小型化に対する要求が強く、図１３〜図１５に示すＡＳＫ変調器６ａを用いた図１２に示す高周波通信装置１では、面積が大きく、高価である。
また、図１５に示すＡＳＫ変調器６ａを用いた図１２に示す高周波通信装置１では、外部に駆動用の半導体スイッチ素子が必要であり、さらに大きく高価である。
【０００４】
それゆえに、この発明の主たる目的は、高周波通信装置の小型化および低コスト化を図ることができるＡＳＫ変調回路を有する高周波通信装置を提供することである。
【０００５】
【課題を解決するための手段】
この発明にかかる高周波通信装置は、
入力端と別の入力端とを有する受信手段、
出力端と入力端とを有する送信手段、
受信手段の入力端に接続される受信端子と、送信手段の出力端に接続される送信端子と、切換端子と、制御端子とを有する切換スイッチ、および制御端子に接続されるＡＳＫ変調信号発生手段を含むＡＳＫ変調回路、
受信手段の別の入力端に接続される別の受信端子と、送信手段の入力端に接続される別の送信端子と、別の切換端子と、別の制御端子とを有する別の切換スイッチ、および別の制御端子に接続される別のＡＳＫ変調信号発生手段を含む別のＡＳＫ変調回路、
ＡＳＫ変調回路の切換端子に接続されるアンテナ、および
別のＡＳＫ変調回路の別の切換端子に接続される外部発振手段を備え、
ＡＳＫ変調信号発生手段の出力信号であるＡＳＫ変調信号で切換端子が受信端子および送信端子に交互に切り換えられ、
別のＡＳＫ変調信号発生手段の出力信号であるＡＳＫ変調信号で別の切換端子が別の受信端子および別の送信端子に交互に切り換えられ、
ＡＳＫ変調信号発生手段と別のＡＳＫ変調信号発生手段とが連動する、高周波通信装置である。
この発明にかかる高周波通信装置では、切換スイッチは、たとえば、ＦＥＴを含むシングルポールデュアルスルースイッチ、ＦＥＴを含む共振型の切換スイッチ、または、ＰＩＮダイオードを含む共振型の切換スイッチである。
また、この発明にかかる高周波通信装置には、切換スイッチとＡＳＫ変調信号発生手段との間に、ＡＳＫ変調信号の歪み特性を改善するための手段として、たとえばローパスフィルタまたはバンドパスフィルタが設けられてもよい。
さらに、この発明にかかる高周波通信装置では、制御端子は第１の制御端子および第２の制御端子を含み、第１の制御端子および第２の制御端子の一方に一定の電圧が印加され、第１の制御端子および第２の制御端子の他方にＡＳＫ変調信号が印加されてもよい。
また、この発明にかかる高周波通信装置では、ＡＳＫ変調信号発生手段は、その別のＡＳＫ変調信号発生手段を兼ねてもよい。
【０００６】
この発明にかかる高周波通信装置では、ＡＳＫ変調回路および別のＡＳＫ変調回路がそれぞれＡＳＫ変調器などのＡＳＫ変調手段としても用いられるために、たとえば図１２に示す従来の高周波通信装置における送信装置のＡＳＫ変調器を省略することができ、たとえば図１２に示す従来の高周波通信装置と比べて、高周波通信装置の小型化および低コスト化を図ることができる。
【０００７】
この発明の上述の目的、その他の目的、特徴および利点は、図面を参照して行う以下の発明の実施の形態の詳細な説明から一層明らかとなろう。
【０００８】
【発明の実施の形態】
図１は高周波通信装置の一例を示すブロック図であり、図２はその高周波通信装置に用いられるアンテナ切換スイッチの一例を示す回路図である。図１に示す高周波通信装置１０はＡＳＫ変調回路１２を含む。ＡＳＫ変調回路１２は、切換スイッチとしてのアンテナ切換スイッチ１４を含む。
【０００９】
アンテナ切換スイッチ１４は、図２に示すように、シングルポールデュアルスルースイッチ（以下「ＳＰＤＴスイッチ」という。）からなる。
このアンテナ切換スイッチ１４は、切換端子としてのアンテナ端子１６、受信端子１８、送信端子２０、第１の制御端子２２ａおよび第２の制御端子２２ｂの各端子と、３つのコンデンサ２４ａ、２４ｂおよび２４ｃと、４つのＦＥＴ２６ａ、２６ｂ、２６ｃおよび２６ｄと、４つの抵抗２８ａ、２８ｂ、２８ｃおよび２８ｄとを有する。
【００１０】
アンテナ端子１６は、コンデンサ２４ｃを介して２つのＦＥＴ２６ａおよび２６ｂのドレインに接続される。一方のＦＥＴ２６ａのソースはコンデンサ２４ａを介して受信端子１８に接続され、他方のＦＥＴ２６ｂのソースはコンデンサ２４ｂを介して送信端子２０に接続される。また、一方のＦＥＴ２６ａのゲートは抵抗２８ａを介して第１の制御端子２２ａに接続され、他方のＦＥＴ２６ｂのゲートは抵抗２８ｂを介して第２の制御端子２２ｂに接続される。さらに、ＦＥＴ２６ｃは、ドレインがＦＥＴ２６ｂのソースに接続され、ソースが接地され、ゲートが抵抗２８ｃを介して第１の制御端子２２ａに接続される。また、ＦＥＴ２６ｄは、ドレインがＦＥＴ２６ａのソースに接続され、ソースが接地され、ゲートが抵抗２８ｄを介して第２の制御端子２２ｂに接続される。
【００１１】
アンテナ切換スイッチ１４の第１の制御端子２２ａおよび第２の制御端子２２ｂには、ＡＳＫ変調信号発生手段としてのＡＳＫ変調信号発生器３０の第１の出力端３２ａおよび第２の出力端３２ｂがそれぞれ接続される。ＡＳＫ変調信号発生器３０は、高周波通信装置１０の送信時に、第１の出力端３２ａおよび第２の出力端３２ｂからＡＳＫ変調信号を出力するためのものである。この場合、ＡＳＫ変調信号は、第１の出力端３２ａおよび第２の出力端３２ｂにおいて電位が交互に変わる。
【００１２】
ＡＳＫ変調回路１２のアンテナ切換スイッチ１４には、アンテナ端子１６にアンテナ４０が接続され、受信端子１８に受信手段としての受信装置５０の入力端が接続され、送信端子２０に送信手段としての送信装置６０の出力端が接続される。また、受信装置５０の別の入力端および送信装置６０の入力端には、外部発振手段としての外部発振器５２の出力端および別の外部発振手段としての別の外部発振器６２の出力端がそれぞれ接続される。
【００１３】
図１に示す高周波通信装置１０では、送信時に、ＡＳＫ変調信号発生器３０から発生するＡＳＫ変調信号によって、アンテナ切換スイッチ１４のアンテナ端子１６が受信端子１８および送信端子２０間で切換えられ、ＡＳＫ変調が行なわれる。この場合、ＡＳＫ変調信号発生器３０の第１の出力端３２ａにおけるＡＳＫ変調信号が「１」である（第１の出力端３２ａにおけるＡＳＫ変調信号の電位がＦＥＴ２６ａおよび２６ｃのピンチオフ電圧より高い）ときで、ＡＳＫ変調信号発生器３０の第２の出力端３２ｂにおけるＡＳＫ変調信号が「０」である（第２の出力端３２ｂにおけるＡＳＫ変調信号の電位がＦＥＴ２６ｂおよび２６ｄのピンチオフ電圧より低い）ときに、ＦＥＴ２６ａおよび２６ｃがＯＮになり、アンテナ切換スイッチ１４のアンテナ端子１６は受信端子１８に接続される。また、ＡＳＫ変調信号発生器３０の第１の出力端３２ａにおけるＡＳＫ変調信号が「０」である（第１の出力端３２ａにおけるＡＳＫ変調信号の電位がＦＥＴ２６ａおよび２６ｃのピンチオフ電圧より低い）ときで、ＡＳＫ変調信号発生器３０の第２の出力端３２ｂにおけるＡＳＫ変調信号が「１」である（第２の出力端３２ｂにおけるＡＳＫ変調信号の電位がＦＥＴ２６ｂおよび２６ｄのピンチオフ電圧より高い）ときに、ＦＥＴ２６ｂおよび２６ｄがＯＮになり、アンテナ切換スイッチ１４のアンテナ端子１６は送信端子２０に接続される。
【００１４】
一方、図１に示す高周波通信装置１０では、受信時に、アンテナ切換スイッチ１４のアンテナ端子１６と受信端子１８とが接続され、ＡＳＫ変調動作は行なわれない。
【００１５】
図１に示す高周波通信装置１０では、ＡＳＫ変調回路１２がＡＳＫ変調器としても用いられるために、図１２に示す従来の高周波通信装置１における送信装置６のＡＳＫ変調器６ａを省略することができ、図１２に示す従来の高周波通信装置１と比べて、小型化および低コスト化を図ることができる。
【００１６】
図３は高周波通信装置の他の例を示すブロック図である。図３に示す高周波通信装置１０はＡＳＫ変調回路７２を含む。ＡＳＫ変調回路７２は、切換スイッチとしての発振切換スイッチ７４を含む。
【００１７】
発振切換スイッチ７４は、図２に示すアンテナ切換スイッチ１４と同じ構造を有し、アンテナ切換スイッチ１４のアンテナ端子１６、受信端子１８、送信端子２０、第１の制御端子２２ａおよび第２の制御端子２２ｂに対応して、切換端子としての発振端子７６、受信端子７８、送信端子８０、第１の制御端子８２ａおよび第２の制御端子８２ｂを有する。なお、発振切換スイッチ７４としては、後述する他のアンテナ切換スイッチ１４と同じ構造を有する切換スイッチが用いられてもよい。
【００１８】
発振切換スイッチ７４には、第１の制御端子８２ａおよび第２の制御端子８２ｂに、ＡＳＫ変調信号発生器３０と同じ構造を有するＡＳＫ変調信号発生手段としてのＡＳＫ変調信号発生器９０の第１の出力端９２ａおよび第２の出力端９２ｂがそれぞれ接続される。このＡＳＫ変調信号発生器９０も、ＡＳＫ変調信号発生器３０と同様に、高周波通信装置１０の送信時に、第１の出力端９２ａおよび第２の出力端９２ｂから電位が交互に変わるＡＳＫ変調信号を出力する。
【００１９】
また、発振切換スイッチ７４には、発振端子７６に外部発振手段としての外部発振器９４の出力端が接続され、受信端子７８に受信手段としての受信装置５０の入力端が接続され、送信端子８０に送信手段としての送信装置６０の入力端が接続される。
【００２０】
さらに、受信装置５０の別の入力端および送信装置６０の出力端には、アンテナ４０ａおよび別のアンテナ４０ｂがそれぞれ接続される。
【００２１】
図３に示す高周波通信装置１０では、送信時に、ＡＳＫ変調信号発生器９０から発生するＡＳＫ変調信号によって、発振切換スイッチ７４の発振端子７６が受信端子７８および送信端子８０間で切換えられ、ＡＳＫ変調が行なわれる。
【００２２】
一方、図３に示す高周波通信装置１０では、受信時に、発振切換スイッチ７４の発振端子７６と受信端子７８とが接続され、ＡＳＫ変調動作は行なわれない。
【００２３】
図３に示す高周波通信装置１０でも、ＡＳＫ変調回路７２がＡＳＫ変調器としても用いられるために、小型化および低コスト化を図ることができる。
【００２４】
図４はこの発明にかかる高周波通信装置の一例を示すブロック図である。図４に示す高周波通信装置１０では、図１に示す高周波通信装置１０と比べて、受信装置５０および送信装置６０に外部発振器５２および別の外部発振器６２が接続される代わりに、図３に示す高周波通信装置１０と同様に、外部発振手段としての外部発振器９４の出力端が、図３に示す高周波通信装置１０のＡＳＫ変調回路７２と同じ構造の別のＡＳＫ変調回路７２を介して、受信装置５０の別の入力端および送信装置６０の入力端に接続される。
【００２５】
図４に示す高周波通信装置１０では、送信時に、ＡＳＫ変調信号発生手段としてのＡＳＫ変調信号発生器３０および別のＡＳＫ変調信号発生手段としての別のＡＳＫ変調信号発生器９０から発生するＡＳＫ変調信号によって、切換スイッチとしてのアンテナ切換スイッチ１４のアンテナ端子１６が受信端子１８および送信端子２０間で切換えられるとともに、別の切換スイッチとしての発振切換スイッチ７４の発振端子７６が受信端子７８および送信端子８０間で切換えられ、ＡＳＫ変調が行なわれる。
【００２６】
一方、図４に示す高周波通信装置１０では、受信時に、アンテナ切換スイッチ１４のアンテナ端子１６と受信端子１８とが接続されるとともに、発振切換スイッチ７４の発振端子７６と受信端子７８とが接続され、ＡＳＫ変調動作は行なわれない。
【００２７】
図４に示す高周波通信装置１０でも、ＡＳＫ変調回路１２および別のＡＳＫ変調回路７２がそれぞれＡＳＫ変調器としても用いられるために、小型化および低コスト化を図ることができる。
【００２８】
さらに、図４に示す高周波通信装置１０では、アンテナ切換スイッチ１４および発振切換スイッチ７４を連動すると、図１および図３に示す高周波通信装置１０に比べて、受信装置５０および送信装置６０間のアイソレーションがよくなり、変調度（ＡＳＫ変調の「０」信号と「１」信号の差のダイナミックレンジ）が大きくなる。
【００２９】
なお、図４に示す高周波装置１０では、送信時に、ＡＳＫ変調信号発生器３０および別のＡＳＫ変調信号発生器９０から発生するＡＳＫ変調信号によって、アンテナ切換スイッチ１４および発振切換スイッチ７４の一方を送信装置６０側に接続し、アンテナ切換スイッチ１４および発振切換スイッチ７４の他方を受信装置５０および送信装置６０間で切換えることによって、ＡＳＫ変調が行なわれてもよい。
【００３０】
図５はこの発明にかかる高周波通信装置の他の例を示すブロック図である。図５に示す高周波通信装置１０では、図４に示す高周波通信装置１０と比べて、ＡＳＫ変調回路１２のＡＳＫ変調信号発生手段としてのＡＳＫ変調信号発生器３０が、別のＡＳＫ変調回路７２の別のＡＳＫ変調信号発生手段を兼ねる。すなわち、ＡＳＫ変調信号発生器３０の第１の出力端３２ａがアンテナ切換スイッチ１４の第１の制御端子２２ａおよび発振切換スイッチ７４の第１の制御端子８２ａに接続され、そのＡＳＫ変調信号発生器３０の第２の出力端３２ｂがアンテナ切換スイッチ１４の第２の制御端子２２ｂおよび発振切換スイッチ７４の第２の制御端子８２ｂに接続される。
【００３１】
図５に示す高周波通信装置１０では、送信時に、１つのＡＳＫ変調信号発生器３０から発生するＡＳＫ変調信号によって、アンテナ切換スイッチ１４のアンテナ端子１６が受信端子１８および送信端子２０間で切換えられるとともに、それに連動して発振切換スイッチ７４の発振端子７６が受信端子７８および送信端子８０間で切換えられ、ＡＳＫ変調が行なわれる。
【００３２】
一方、図５に示す高周波通信装置１０では、受信時に、アンテナ切換スイッチ１４のアンテナ端子１６と受信端子１８とが接続されるとともに、発振切換スイッチ７４の発振端子７６と受信端子７８とが接続され、ＡＳＫ変調動作は行なわれない。
【００３３】
図５に示す高周波通信装置１０でも、ＡＳＫ変調回路１２および７４がそれぞれＡＳＫ変調器としても用いられるために、小型化および低コスト化を図ることができる。
【００３４】
さらに、図５に示す高周波通信装置１０では、アンテナ切換スイッチ１４および発振切換スイッチ７４が連動するので、図１および図３に示す高周波通信装置１０に比べて、受信装置５０および送信装置６０間のアイソレーションがよくなり、変調度（ＡＳＫ変調の「０」信号と「１」信号の差のダイナミックレンジ）が大きくなる。
【００３５】
図６はこの発明にかかる高周波通信装置に用いられるローパスフィルタを用いた高周波通信装置の例を示すブロック図である。図６に示す高周波通信装置１０では、図１に示す高周波通信装置１０と比べて、アンテナ切換スイッチ１４の第１の制御端子２２ａおよび第２の制御端子２２ｂａとＡＳＫ変調信号発生器３０の第１の出力端３２ａおよび第２の出力端３２ｂとの間に、ＡＳＫ変調信号の歪み特性を改善するための手段としてのローパスフィルタ１００ａおよび１００ｂがそれぞれ接続される。
【００３６】
図６に示す高周波通信装置１０でも、ＡＳＫ変調回路１２がＡＳＫ変調器としても用いられるために、小型化および低コスト化を図ることができる。
【００３７】
さらに、図６に示す高周波通信装置１０では、ローパスフィルタ１００ａおよび１００ｂによってＡＳＫ変調波の歪み特性を改善することができ、搬送波の近傍の歪みのレベルを小さくすることができる。なお、ローパスフィルタの代わりにバンドパスフィルタが用いられても、ＡＳＫ変調信号の歪み特性を改善し得る。
【００３８】
図７はこの発明にかかる高周波通信装置に用いられるアンテナ切換スイッチの他の例を示す回路図である。図７に示すアンテナ切換スイッチ１４は、共振型の切換スイッチである。
【００３９】
図７に示すアンテナ切換スイッチ１４は、アンテナ端子１６、受信端子１８、送信端子２０、第１の制御端子２２ａおよび第２の制御端子２２ｂの各端子と、５つのコンデンサ２４ａ、２４ｂ、２４ｃ、２４ｄおよび２４ｅと、２つのＦＥＴ２６ａおよび２６ｂと、２つのインダクタ２９ａおよび２９ｂとを有する。
【００４０】
アンテナ端子１６は、コンデンサ２４ｃを介して、２つのコンデンサ２４ｄおよび２４ｅの一端と２つのインダクタ２９ａおよび２９ｂの一端とに接続される。一方のコンデンサ２４ｄの他端は、コンデンサ２４ａを介して、受信端子１８に接続される。他方のコンデンサ２４ｅの他端は、コンデンサ２４ｂを介して、送信端子２０に接続される。また、ＦＥＴ２６ａは、ドレインがインダクタ２９ａの他端に接続され、ソースがコンデンサ２４ｄの他端に接続され、ゲートが第２の制御端子２２ｂに接続される。さらに、ＦＥＴ２６ｂは、ドレインがインダクタ２９ｂの他端に接続され、ソースがコンデンサ２４ｅの他端に接続され、ゲートが第１の制御端子２２ａに接続される。
【００４１】
図７に示すアンテナ切換スイッチ１４では、たとえばＡＳＫ変調信号などによって、第１の制御端子２２ａの電位が高くなりかつ第２の制御端子２２ｂの電位が低くなったときに、ＦＥＴ２６ａがＯＦＦになって、ＦＥＴ２６ａのＯＦＦ容量とインダクタ２９ａとがキャリア周波数で直列共振してアンテナ端子１６と受信端子１８とが接続されるとともに、ＦＥＴ２６ｂがＯＮになって、コンデンサ２４ｅとインダクタ２９ｂとがキャリア周波数で並列共振してアンテナ端子１６と送信端子２０とが切断される。
【００４２】
逆に、図７に示すアンテナ切換スイッチ１４では、第１の制御端子２２ａの電位が低くなりかつ第２の制御端子２２ｂの電位が高くなったときに、ＦＥＴ２６ａがＯＮになって、コンデンサ２４ｄとインダクタ２９ａとがキャリア周波数で並列共振してアンテナ端子１６と受信端子１８とが切断されるとともに、ＦＥＴ２６ｂがＯＦＦになって、ＦＥＴ２６ｂのＯＦＦ容量とインダクタ２９ｂとがキャリア周波数で直列共振してアンテナ端子１６と送信端子２０とが接続される。
【００４３】
図８はこの発明にかかる高周波通信装置に用いられるアンテナ切換スイッチのさらに他の例を示す回路図である。図８に示すアンテナ切換スイッチ１４も、共振型の切換スイッチである。
【００４４】
図８に示すアンテナ切換スイッチ１４は、アンテナ端子１６、受信端子１８、送信端子２０、第１の制御端子２２ａおよび第２の制御端子２２ｂと、３つのコンデンサ２４ａ、２４ｂおよび２４ｃと、２つのＦＥＴ２６ａおよび２６ｂと、２つのインダクタ２９ａおよび２９ｂとを有する。
【００４５】
アンテナ端子１６は、コンデンサ２４ｃを介して、２つのインダクタ２９ａおよび２９ｂの一端に接続される。一方のインダクタ２９ａの他端は、コンデンサ２４ａを介して、受信端子１８に接続される。他方のインダクタ２９ｂの他端は、コンデンサ２４ｂを介して、送信端子２０に接続される。また、ＦＥＴ２６ａは、ドレインおよびソースがインダクタ２９ａの一端および他端にそれぞれ接続され、ゲートが第１の制御端子２２ａに接続される。さらに、ＦＥＴ２６ｂは、ドレインおよびソースがインダクタ２９ｂの一端および他端にそれぞれ接続され、ゲートが第２の制御端子２２ｂに接続される。
【００４６】
図８に示すアンテナ切換スイッチ１４では、第１の制御端子２２ａの電位が高くなりかつ第２の制御端子２２ｂの電位が低くなったときに、ＦＥＴ２６ａがＯＮになって、ＦＥＴ２６ａとインダクタ２９ａとが並列共振せずにアンテナ端子１６と受信端子１８とが接続されるとともに、ＦＥＴ２６ｂがＯＦＦになって、ＦＥＴ２６ｂとインダクタ２９ｂとが並列共振してアンテナ端子１６と送信端子２０とが切断される。
【００４７】
逆に、図８に示すアンテナ切換スイッチ１４では、第１の制御端子２２ａの電位が低くなりかつ第２の制御端子２２ｂの電位が高くなったときに、ＦＥＴ２６ａがＯＦＦになって、ＦＥＴ２６ａとインダクタ２９ａとが並列共振してアンテナ端子１６と受信端子１８とが切断されるとともに、ＦＥＴ２６ｂがＯＮになって、ＦＥＴ２６ｂとインダクタ２９ｂとが並列共振せずにアンテナ端子１６と送信端子２０とが接続される。
【００４８】
図７および図８に示す切換スイッチ１４は、それぞれ、図２に示すＳＰＤＴスイッチからなる切換スイッチ１４と比べて、ＦＥＴの数が少ないので小型化が可能である。
そのため、図７および図８に示す切換スイッチ１４を用いたＡＳＫ変調回路や高周波通信装置では、図２に示す切換スイッチ１４を用いたＡＳＫ変調回路や高周波通信装置に比べて、小型化が可能である。
【００４９】
図９はこの発明にかかる高周波通信装置に用いられるＡＳＫ変調回路の他の例を示す回路図である。図９に示すＡＳＫ変調回路１２は、アンテナ切換スイッチ１４を含む。このアンテナ切換スイッチ１４も、共振型の切換スイッチである。
【００５０】
アンテナ切換スイッチ１４は、アンテナ端子１６、受信端子１８、送信端子２０および制御端子２２の各端子と、５つのコンデンサ２４ａ、２４ｂ、２４ｃ、２４ｄおよび２４ｅと、２つのＰＩＮダイオード２７ａおよび２７ｂと、２つの抵抗２８ａおよび２８ｂと、３つのインダクタ２９ａ、２９ｂおよび２９ｃとを有する。
【００５１】
アンテナ端子１６は、コンデンサ２４ｃを介して、ＰＩＮダイオード２７ａのアノードおよびＰＩＮダイオード２７ｂのカソードに接続される。一方のＰＩＮダイオード２７ａのカソードは、コンデンサ２４ａを介して、受信端子１８に接続される。他方のＰＩＮダイオード２７ｂのアノードは、コンデンサ２４ｂを介して、送信端子２０に接続される。また、一方のＰＩＮダイオード２７ａには、コンデンサ２４ｄおよびインダクタ２９ａの直列回路が、並列に接続される。さらに、他方のＰＩＮダイオード２７ｂには、コンデンサ２４ｅおよびインダクタ２９ｂの直列回路が、並列に接続される。また、一方のＰＩＮダイオード２７ａのカソードは、抵抗２８ａを介して接地される。さらに、他方のＰＩＮダイオード２７ｂのアノードは、抵抗２８ｂを介して接地される。また、ＰＩＮダイオード２７ａのアノードおよびＰＩＮダイオード２７ｂのカソードは、インダクタ２９ｃを介して、制御端子２２に接続される。
【００５２】
このアンテナ切換スイッチ１４の制御端子２２には、ＡＳＫ変調信号発生器３０の出力端３２が接続される。
【００５３】
図９に示すＡＳＫ変調回路１２を用いた高周波通信装置では、送信時に、ＡＳＫ変調信号発生器３０から発生するＡＳＫ変調信号によって、アンテナ切換スイッチ１４のアンテナ端子１６が受信端子１８および送信端子２０間で切換えられる。この場合、ＡＳＫ変調信号発生器３０の出力端３２の電位が正のときに、ＰＩＮダイオード２７ａがＯＮになるとともにＰＩＮダイオード２７ｂがＯＦＦになり、ＰＩＮダイオード２７ｂのＯＦＦ容量とインダクタ２９ｂにより、キャリア周波数において並列共振が起こり、アンテナ切換スイッチ１４のアンテナ端子１６は受信端子１８に接続されるとともに送信端子２０から切断される。また、この場合、ＡＳＫ変調信号発生器３０の出力端３２の電位が負のときに、ＰＩＮダイオード２７ａがＯＦＦになるとともにＰＩＮダイオード２７ｂがＯＮになり、ＰＩＮダイオード２７ａのＯＦＦ容量とインダクタ２９ａにより、キャリア周波数において並列共振が起こり、アンテナ切換スイッチ１４のアンテナ端子１６は受信端子１８から切断されるとともに送信端子２０に接続される。
【００５４】
一方、図９に示すＡＳＫ変調回路１２を用いた高周波通信装置では、受信時に、ＡＳＫ変調信号発生器３０の出力端３２の電位が正になって、アンテナ切換スイッチ１４のアンテナ端子１６は受信端子１８に接続されるとともに送信端子２０から切断される。
【００５５】
図９に示すＡＳＫ変調回路１２を用いた高周波通信装置では、ＦＥＴを有するＡＳＫ変調回路を用いた高周波通信装置と比べて、低コスト化が可能であるとともに、データ信号の入力を一本化することができるという効果も奏する。
【００５６】
図１０はこの発明にかかる高周波通信装置に用いられるＡＳＫ変調回路のさらに他の例を示す回路図である。図１０に示すＡＳＫ変調回路１２は、アンテナ切換スイッチ１４を含む。
【００５７】
アンテナ切換スイッチ１４は、アンテナ端子１６、受信端子１８、送信端子２０および制御端子２２の各端子と、４つのコンデンサ２４ａ、２４ｂ、２４ｃおよび２４ｄと、λ／４のストリップライン２５と、２つのＰＩＮダイオード２７ａおよび２７ｂと、抵抗２８と、インダクタ２９とを有する。
【００５８】
アンテナ端子１６は、コンデンサ２４ｃを介して、ストリップライン２５の一端およびＰＩＮダイオード２７ｂのカソードに接続される。ストリップライン２５の他端は、コンデンサ２４ａを介して、受信端子１８に接続される。ストリップライン２５の他端にはＰＩＮダイオード２７ａのアノードが接続され、ＰＩＮダイオード２７ａのカソードは接地される。また、ＰＩＮダイオード２７ｂのアノードは、コンデンサ２４ｂを介して、送信端子２０に接続される。さらに、ＰＩＮダイオード２７ｂのアノードは、インダクタ２９および抵抗２８を介して、制御端子２２に接続される。また、インダクタ２９および抵抗２８の接続点は、コンデンサ２４ｄを介して接地される。
【００５９】
このアンテナ切換スイッチ１４の制御端子２２には、ＡＳＫ変調信号発生器３０の出力端３２が接続される。
【００６０】
図１０に示すＡＳＫ変調回路１２を用いた高周波通信装置では、送信時に、ＡＳＫ変調信号発生器３０から発生するＡＳＫ変調信号によって、アンテナ切換スイッチ１４のアンテナ端子１６が受信端子１８および送信端子２０間で切換えられる。この場合、ＡＳＫ変調信号発生器３０の出力端３２の電位が負のときに、ＰＩＮダイオード２７ａおよびＰＩＮダイオード２７ｂがＯＦＦになり、アンテナ切換スイッチ１４のアンテナ端子１６は受信端子１８に接続されるとともに送信端子２０から切断される。また、この場合、ＡＳＫ変調信号発生器３０の出力端３２の電位が正のときに、ＰＩＮダイオード２７ａおよびＰＩＮダイオード２７ｂがＯＮになり、アンテナ切換スイッチ１４のアンテナ端子１６は受信端子１８から切断されるとともに送信端子２０に接続される。
【００６１】
一方、図１０に示すＡＳＫ変調回路１２を用いた高周波通信装置では、受信時に、ＡＳＫ変調信号発生器３０の出力端３２の電位が負になって、アンテナ切換スイッチ１４のアンテナ端子１６は受信端子１８に接続されるとともに送信端子２０から切断される。
【００６２】
図１１はこの発明にかかる高周波通信装置に用いられるＡＳＫ変調回路のさらに他の例を示す回路図である。図１１に示すＡＳＫ変調回路１２は、アンテナ切換スイッチ１４を含む。
【００６３】
アンテナ切換スイッチ１４は、アンテナ端子１６、受信端子１８、送信端子２０、第１の制御端子２２ａおよび第２の制御端子２２ｂの各端子と、５つのコンデンサ２４ａ、２４ｂ、２４ｃ、２４ｄおよび２４ｅと、４つのＰＩＮダイオード２７ａ、２７ｂ、２７ｃおよび２７ｄと、２つの抵抗２８ａおよび２８ｂと、３つのインダクタ２９ａ、２９ｂおよび２９ｃとを有する。
【００６４】
アンテナ端子１６は、コンデンサ２４ｃを介して、２つのＰＩＮダイオード２７ａおよび２７ｂのアノードに接続される。
【００６５】
ＰＩＮダイオード２７ａのカソードは、コンデンサ２４ａを介して、受信端子１８に接続される。また、ＰＩＮダイオード２７ａのカソードにはＰＩＮダイオード２７ｃのアノードが接続され、ＰＩＮダイオード２７ｃのカソードは接地される。さらに、ＰＩＮダイオード２７ａのカソードには、インダクタ２９ａおよび抵抗２８ａの直列回路を介して、第２の制御端子２２ｂが接続される。インダクタ２９ａおよび抵抗２８ａの接続点は、コンデンサ２４ｄを介して接地される。
【００６６】
また、ＰＩＮダイオード２７ｂのカソードは、コンデンサ２４ｂを介して、送信端子２０に接続される。また、ＰＩＮダイオード２７ｂのカソードにはＰＩＮダイオード２７ｄのアノードが接続され、ＰＩＮダイオード２７ｄのカソードは接地される。さらに、ＰＩＮダイオード２７ｂのカソードには、インダクタ２９ｂおよび抵抗２８ｂの直列回路を介して、第１の制御端子２２ａが接続される。インダクタ２９ｂおよび抵抗２８ｂの接続点は、コンデンサ２４ｅを介して接地される。
【００６７】
さらに、ＰＩＮダイオード２７ａおよび２７ｂのアノードは、インダクタ２９ｃを介して接地される。
【００６８】
このアンテナ切換スイッチ１４の第１の制御端子２２ａおよび第２の制御端子２２ｂには、ＡＳＫ変調信号発生器３０の第１の出力端３２ａおよび第２の出力端３２ｂがそれぞれ接続される。
【００６９】
図１１に示すＡＳＫ変調回路１２を用いた高周波通信装置では、送信時に、ＡＳＫ変調信号発生器３０から発生するＡＳＫ変調信号によって、アンテナ切換スイッチ１４のアンテナ端子１６が受信端子１８および送信端子２０間で切換えられる。この場合、ＡＳＫ変調信号発生器３０の第１の出力端３２ａの電位が正で第２の出力端３２ｂの電位が負のときに、ＰＩＮダイオード２７ａおよびＰＩＮダイオード２７ｄがＯＮになり、ＰＩＮダイオード２７ｂおよびＰＩＮダイオード２７ｃがＯＦＦになり、アンテナ切換スイッチ１４のアンテナ端子１６は受信端子１８に接続されるとともに送信端子２０から切断される。また、この場合、ＡＳＫ変調信号発生器３０の第１の出力端３２ａの電位が負で第２の出力端３２ｂの電位が正のときに、ＰＩＮダイオード２７ａおよびＰＩＮダイオード２７ｄがＯＦＦになり、ＰＩＮダイオード２７ｂおよびＰＩＮダイオード２７ｃがＯＮになり、アンテナ切換スイッチ１４のアンテナ端子１６は受信端子１８から切断されるとともに送信端子２０に接続される。
【００７０】
一方、図１１に示すＡＳＫ変調回路１２を用いた高周波通信装置では、受信時に、ＡＳＫ変調信号発生器３０の第１の出力端３２ａの電位が正で第２の出力端３２ｂの電位が負になって、アンテナ切換スイッチ１４のアンテナ端子１６は受信端子１８に接続されるとともに送信端子２０から切断される。
【００７１】
図１０および図１１に示すＡＳＫ変調回路１２を用いた高周波通信装置でも、ＦＥＴを有するＡＳＫ変調回路を用いた高周波通信装置と比べて、低コスト化が可能であるとともに、データ信号の入力を一本化することができるという効果も奏する。
【００７２】
なお、図１、図４および図５などに示す高周波通信装置において、２つの制御端子２２ａおよび２２ｂの一方に一定の電圧を印加し、他方にＡＳＫ変調信号を印加するようにしてもよい。このようにすれば、データ信号の入力を一本化することができる。また、図３および図４に示す高周波通信装置において、２つの制御端子９２ａおよび９２ｂの一方に一定の電圧を印加し、他方にＡＳＫ変調信号を印加するようにしても、同様に、データ信号の入力を一本化することができる。
【００７３】
また、上述のアンテナ切換スイッチにはＦＥＴやＰＩＮダイオードなどの能動素子が用いられているが、この発明ではバイポーラトランジスタなど他の能動素子が用いられてもよい。
【００７４】
さらに、この発明は、スーパーヘテロダイン方式の高周波通信装置にも適用され得る。
【００７５】
【発明の効果】
この発明によれば、高周波通信装置の小型化および低コスト化を図ることができるＡＳＫ変調回路を有する高周波通信装置が得られる。
【図面の簡単な説明】
【図１】  高周波通信装置の一例を示すブロック図である。
【図２】図１に示す高周波通信装置に用いられるアンテナ切換スイッチの一例を示す回路図である。
【図３】  高周波通信装置の他の例を示すブロック図である。
【図４】  この発明にかかる高周波通信装置の一例を示すブロック図である。
【図５】  この発明にかかる高周波通信装置の他の例を示すブロック図である。
【図６】  この発明にかかる高周波通信装置に用いられるローパスフィルタを用いた高周波通信装置の例を示すブロック図である。
【図７】この発明にかかる高周波通信装置に用いられるアンテナ切換スイッチの他の例を示す回路図である。
【図８】この発明にかかる高周波通信装置に用いられるアンテナ切換スイッチのさらに他の例を示す回路図である。
【図９】この発明にかかる高周波通信装置に用いられるＡＳＫ変調回路の他の例を示す回路図である。
【図１０】この発明にかかる高周波通信装置に用いられるＡＳＫ変調回路のさらに他の例を示す回路図である。
【図１１】この発明にかかる高周波通信装置に用いられるＡＳＫ変調回路のさらに他の例を示す回路図である。
【図１２】従来の高周波通信装置の一例を示すブロック図である。
【図１３】図１２に示す高周波通信装置に用いられるＡＳＫ変調器の一例を示す回路図である。
【図１４】図１２に示す高周波通信装置に用いられるＡＳＫ変調器の他の例を示す回路図である。
【図１５】図１２に示す高周波通信装置に用いられるＡＳＫ変調器のさらに他の例を示す回路図である。
【符号の説明】
１０  高周波通信装置
１２  ＡＳＫ変調回路
１４  アンテナ切換スイッチ
１６  アンテナ端子
１８  受信端子
２０  送信端子
２２ａ  第１の制御端子
２２ｂ  第２の制御端子
２４ａ、２４ｂ、２４ｃ  コンデンサ
２６ａ、２６ｂ、２６ｃ、２６ｄ  ＦＥＴ
２８ａ、２８ｂ、２８ｃ、２８ｄ  抵抗
３０  ＡＳＫ変調信号発生器
３２ａ  第１の出力端
３２ｂ  第２の出力端
４０、４０ａ  アンテナ
４０ｂ  別のアンテナ
５０  受信装置
５２  外部発振器
６０  送信装置
６２  別の外部発振器
７２  ＡＳＫ変調回路
７４  発振切換スイッチ
７６  発振端子
７８  受信端子
８０  送信端子
８２ａ  第１の制御端子
８２ｂ  第２の制御端子
９０  ＡＳＫ変調信号発生器
９２ａ  第１の出力端
９２ｂ  第２の出力端
９４  外部発振器
【図１】
0004389358.tif 000002
【図２】
0004389358.tif 000003
【図３】
0004389358.tif 000004
【図４】
0004389358.tif 000005
【図５】
0004389358.tif 000006
【図６】
0004389358.tif 000007
【図７】
0004389358.tif 000008
【図８】
0004389358.tif 000009
【図９】
0004389358.tif 000010
【図１０】
0004389358.tif 000011
【図１１】
0004389358.tif 000012
【図１２】
0004389358.tif 000013
【図１３】
0004389358.tif 000014
【図１４】
0004389358.tif 000015
【図１５】
0004389358.tif 000016